(57)【要約】【課題】冷房運転時の風向偏向板５の開く角度が小さい場合でも風向偏向板５に沿った空気の流れとなり、冷房運転時の風向偏向板５の下面側（面Ｙ）の空気の流れの剥離に起因する結露を防止することができる天井埋め込み形空気調和機を提供すること。【解決手段】吹出口３と、吹出口３に設けられ、回動軸５ｄにより回動して風向制御する風向偏向板５とを備え、風向偏向板５は前縁部５ａと後縁部５ｂと、前縁部５ａと後縁部５ｂとを接続する接続部５ｃとで構成され、吹出口３の開口面積が拡大する方向に風向偏向板５の回動軸５ｄが回動した場合に、前縁部５ａが、回動軸５ｄの方向に曲がることを特徴とした。【選択図】図４
2019184142.tif 000002
【特許請求の範囲】
【請求項１】
天井に埋設される筐体と、前記筐体の底面に設けられた化粧パネルと、前記化粧パネルに設けられ前記筐体の内部に室内の空気を吸い込む吸込口と、前記吸込口から前記筐体の内部に吸い込んだ空気を室内へ吹き出す吹出口と、前記吹出口に設けられ、回動軸により回動して風向制御する風向偏向板とを備え、前記風向偏向板は前縁部と、後縁部と、前記前縁部と前記後縁部とを接続する接続部とで構成され、前記吹出口の開口面積が拡大する方向に前記回動軸が回動した場合に、前記前縁部が、前記回動軸の方向に曲がることを特徴とする天井埋め込み形空気調和機。
【請求項２】
前記前縁部を、伸び縮みする弾性部材で構成したことを特徴とする請求項１に記載の天井埋め込み形空気調和機。
【請求項３】
前記前縁部は、温度により伸び縮みする弾性部材と、温度に依存しない伸び縮みする弾性部材とを略均一な長さとなるように構成したことを特徴とする請求項１または請求項２に記載の天井埋め込み形空気調和機。
【発明の詳細な説明】
【技術分野】
【０００１】
本発明は、たとえば複数個の吹出口を有する天井埋め込み形空気調和機において、各吹出口の出口に風向制御の手段として備えた風向偏向板に関するものである。
【背景技術】
【０００２】
従来、この種の天井埋め込み形空気調和機１００は図１２に示すように、筐体１０１と、筐体１０１の底面に備えられ、複数個の吹出口１０２と、吸込口１０３と、風向偏向板１０４とを有する化粧パネル１０５とで構成されたものがある（例えば、特許文献１参照）。
【０００３】
図１３に示すように、化粧パネル１０５の吹出口１０２の近傍は、内部風路１０２ａと、使用しない吹出口１０２の上流側に備えた吹出し空気遮断用部材１０６と、吹出口１０２で化粧パネル１０５の表面付近に、使用しない吹出口１０２を全閉できる略フラットな風向偏向板１０４とを設けたことで、化粧パネル１０５の外観から容易に吹出口１０２の使用の有無を判別できると共に、各吹出口１０２ごとに風向を調整でき、人的、物的に快適性の向上が図ることができる。
【先行技術文献】
【特許文献】
【０００４】
【特許文献１】特開２０００−２０５６４２号公報
【発明の概要】
【発明が解決しようとする課題】
【０００５】
しかしながら、前記従来の構成では、図１４に示すように吹出口１０２使用中の化粧パネル１０５の吹出口１０２近傍の部分断面において、風向偏向板１０４が開く角度が小さい場合に、内部風路１０２ａを通る気流Ｗが風向偏向板１０４の室内から見える面Ｚに沿わず、例えば、冷房運転を行ったときに、冷気で冷やされた風向偏向板１０４の温度と、高温多湿の室内空気Ｗ’との温度差から、面Ｚに結露が生じてしまうという課題を有していた。
【課題を解決するための手段】
【０００６】
前記従来の課題を解決するために、本発明の天井埋め込み形空気調和機は、吹出口と、吹出口に設けられ、回動軸により回動して風向制御する風向偏向板とを備え、風向偏向板は前縁部と、後縁部と、前縁部と後縁部とを接続する接続部とで構成され、吹出口の開口面積が拡大する方向に風向偏向板の回動軸が回動した場合に、前縁部が、回動軸の方向に曲がることを特徴としたものである。
【０００７】
これによって、吹出口の開口面積が広がるにしたがって、風向偏向板の前縁部が回動軸の方向に曲がる。
【０００８】
従って、天井埋め込み形空気調和機のように吹出口の上流から略鉛直方向に流れる空気を、風向偏向板の前縁部からガイドして吹き出すこととなり、吹出口の開口面積が小さい、すなわち開く角度が小さい場合でも、風向偏向板の下面から剥離することなく、空気を流すこととなる。
【発明の効果】
【０００９】
本発明の天井埋め込み形空気調和機は、冷房運転時の風向偏向板の開く角度が小さい場
合でも風向偏向板に沿った空気の流れとなり、冷房運転時の風向偏向板の下面側の空気の流れの剥離に起因する結露を防止することができる。
【図面の簡単な説明】
【００１０】
【図１】本発明の第１の実施の形態における天井埋め込み形空気調和機の斜視図
【図２】本発明の第１の実施の形態における天井埋め込み形空気調和機のＡ-Ａ’断面図
【図３】本発明の第１の実施の形態における天井埋め込み形空気調和機の部分断面斜視図
【図４】（ａ）本発明の第１の実施の形態における天井埋め込み形空気調和機の図１のＡ−Ａ’断面における化粧パネルの使用する吹出口近傍の部分断面視図（ｂ）本発明の第１の実施の形態における天井埋め込み形空気調和機の図１のＡ−Ａ’断面における化粧パネルの使用しない吹出口近傍の部分断面視図
【図５】本発明の第２の実施の形態における天井埋め込み形空気調和機の吹出口の部分断面斜視図
【図６】本発明の第２の実施の形態における天井埋め込み形空気調和機のガイド変換部と、ガイド変換部モータの構成図
【図７】（ａ）本発明の第２の実施の形態における天井埋め込み形空気調和機のガイド変換部と前縁部ガイド軸の起動時、停止時の動作の説明図（ｂ）本発明の第２の実施の形態における天井埋め込み形空気調和機のガイド変換部と前縁部ガイド軸の運転時の動作の説明図
【図８】（ａ）本発明の第２の実施の形態における天井埋め込み形空気調和機の図１のＡ−Ａ’断面における化粧パネルの使用する吹出口近傍の部分断面視図（ｂ）本発明の第２の実施の形態における天井埋め込み形空気調和機の図１のＡ−Ａ’断面における化粧パネルの使用しない吹出口近傍の部分断面視図
【図９】本発明の第３の実施の形態における天井埋め込み形空気調和機の吹出口の部分断面斜視図
【図１０】本発明の第３の実施の形態における天井埋め込み形空気調和機の風向偏向板の構成図
【図１１】（ａ）本発明の第２の実施の形態における天井埋め込み形空気調和機の図１のＡ−Ａ’断面における化粧パネルの冷房運転時に使用する吹出口近傍の部分断面視図（ｂ）本発明の第２の実施の形態における天井埋め込み形空気調和機の図１のＡ−Ａ’断面における化粧パネルの暖房運転時に使用する吹出口近傍の部分断面視図（ｃ）本発明の第２の実施の形態における天井埋め込み形空気調和機の図１のＡ−Ａ’断面における化粧パネルの停止時で使用しない吹出口近傍の部分断面視図
【図１２】従来の天井埋め込み形空気調和機の斜視図
【図１３】（ａ）従来の天井埋め込み形空気調和機の図１２のＸ−Ｘ’断面における化粧パネルの使用する吹出口近傍の部分断面視図（ｂ）従来の天井埋め込み形空気調和機の図１２のＸ−Ｘ’断面における化粧パネルの使用しない吹出口近傍の部分断面視図
【図１４】従来の天井埋め込み形空気調和機の図１２のＸ−Ｘ’断面における化粧パネルの吹出口近傍の気流の説明図
【発明を実施するための形態】
【００１１】
第１の発明は、天井に埋設される筐体と、前記筐体の底面に設けられた化粧パネルと、前記化粧パネルに設けられ前記筐体の内部に室内の空気を吸い込む吸込口と、前記吸込口から前記筐体の内部に吸い込んだ空気を室内へ吹き出す吹出口と、前記吹出口に設けられ、回動軸により回動して風向制御する風向偏向板とを備え、前記風向偏向板は前縁部と、後縁部と、前記前縁部と前記後縁部とを接続する接続部とで構成され、前記吹出口の開口面積が拡大する方向に前記回動軸が回動した場合に、前記前縁部が、前記回動軸の方向に曲がることを特徴としたものである。
【００１２】
これによって、吹出口の開口面積が広がるにしたがって、風向偏向板の前縁部が回動軸の方向に曲がる。
【００１３】
従って、天井埋め込み形空気調和機のように吹出口の上流から略鉛直方向に流れる空気を、風向偏向板の前縁部からガイドして吹き出すこととなり、吹出口の開口面積が小さい、すなわち開く角度が小さい場合でも、風向偏向板の下面から剥離することなく、空気を流すこととなる。
【００１４】
よって、冷房運転時の風向偏向板の開く角度が小さい場合でも風向偏向板に沿った空気の流れとなり、冷房運転時の風向偏向板の下面側の空気の流れの剥離に起因する結露を防止することができる。
【００１５】
第２の発明は、前記前縁部を、伸び縮みする弾性部材で構成したものである。
【００１６】
これによって、前縁部が曲面を形成し、剥離が起こりやすい小さな風速の場合でも前縁部に沿った空気の流れを実現することとなる。
【００１７】
よって、冷房運転時の風向偏向板の開く角度が小さく、風速が小さい場合でも、風向偏向板に沿った空気の流れとなり、冷房運転時の風向偏向板の下面側の空気の流れの剥離に起因する結露を防止することができる。
【００１８】
第３の発明は、前記前縁部は、温度により伸び縮みする弾性部材と、温度に依存しない伸び縮みする弾性部材とを略均一な長さとなるように構成したものである。
【００１９】
これによって、温度が変化した場合に温度により伸び縮みする弾性部材の長さが変化し、温度に依存しない伸び縮みする弾性部材との熱膨張差で前縁部の形状が湾曲する。
【００２０】
従って、温度により伸び縮みする弾性部材として所定の温度（例えば、１０℃）以下で縮む材料を風向偏向板に用いた場合、冷たい空気が風向偏向板に当たった時のみ前縁部が湾曲する。
【００２１】
よって、冷房運転時の風向偏向板の開く角度が小さい場合でも風向偏向板に沿った空気の流れとなり、冷房運転時の風向偏向板の下面側の空気の流れの剥離に起因する結露を防止することができるとともに、温度によって駆動する為、動力を必要とせず、省エネ性を向上することができる。
【００２２】
以下、本発明の実施の形態について、図面を参照しながら説明する。なお、この実施の形態によってこの発明が限定されるものではない。
【００２３】
（実施の形態１）
図１は本発明の第１の実施の形態における天井埋め込み形空気調和機の斜視図を示すものである。
【００２４】
また、図２は本発明の第１の実施の形態における天井埋め込み形空気調和機の図１におけるＡ-Ａ’断面視図を示すものである。
【００２５】
図３は本発明の第１の実施の形態における天井埋め込み形空気調和機の吹出口の部分断面斜視図を示すものである。
【００２６】
また、図４（ａ）は、本発明の第１の実施の形態における天井埋め込み形空気調和機の図１のＡ−Ａ’断面における化粧パネルの使用する吹出口近傍の部分断面視図を示すものである。図４（ｂ）本発明の第１の実施の形態における天井埋め込み形空気調和機の図１のＡ−Ａ’断面における化粧パネルの使用しない吹出口近傍の部分断面視図を示すものである。
【００２７】
図１において天井埋め込み形空気調和機１は、筐体２と、筐体２の底面に備えられ、複数個の吹出口３と、吸込口４と、風向偏向板５とを有する化粧パネル６とで構成されている。
【００２８】
また、図２において天井埋め込み形空気調和機１の内部は、遠心送風機７と、遠心送風機７を駆動するモータ８と、グリル４ａおよびフィルター４ｂから構成されている吸込口４と、吸込口４から流入する気流Ｗを遠心送風機７に誘引するオリフィス９と、遠心送風機７を囲うように配設された熱交換器１０と、熱交換器１０を支えるとともに、筐体２側で吹出口３の内部風路３ａの一部を形成するドレンパン１１と、筐体２の内面に配設され、吹出口３の内部風路３ａの一部を形成する内部断熱材１２とで構成されている。
【００２９】
天井埋め込み形空気調和機１は、天井５０の凹部に吊りボルト５１で吊り下げられて設置される。
【００３０】
また、図３および図４に示すように風向偏向板５は、前縁部５ａと、後縁部５ｂと、前縁部５ａと後縁部５ｂとを接続する接続部５ｃと、吹出口３の開口面積を調整するために風向偏向板５を回動させる回動軸５ｄとから構成される。ここで、接続部５ｃの回動に伴って、前縁部５ａは回動するが、後縁部５ｂは回動しない。
【００３１】
また内部風路３ａの側壁には接続部５ｃをガイドする接続部ガイド孔５ｅが開けられている。
【００３２】
さらに、接続部ガイド孔５ｅが備えられた化粧パネル６の内部には、回動軸５ｄを回動させる回動軸モータ１３と、接続部５ｃを回動させる接続部モータ１４とを備える。回動軸モータ１３がＣ１方向へ回動することによって、後縁部５ｂが回動する。
【００３３】
接続部５ｃと接続部モータ１４は接続されており、接続部モータ１４のＣ２方向への回動によって接続部５ｃが回動する。また、この接続部５ｃの回動に伴い、前縁部５ａが回動する。換言すると、接続部モータ１４のＣ２方向への回動によって前縁部５ａが回動する。
【００３４】
なお、前縁部５ａおよび後縁部５ｂの接続部５ｃに接続される部分には、接続部５ｃが回動した際に接触して過度な摺動摩擦が生じないよう、１ｍｍ以下の隙間が設けられている。
【００３５】
以上のように構成された天井埋め込み形空気調和機について、以下その動作、作用を説明する。
【００３６】
まず図２に示すように、モータ８によって遠心送風機７が回転することで、室内（大気圧）と天井埋め込み形空気調和機１の内部との圧力差によって気流Ｗが生じ、グリル４ａ、フィルター４ｂ、オリフィス９の順に気流が遠心送風機７へ誘引される。
その後、遠心送風機７から吹き出された気流Ｗは、熱交換器１０にて暖房運転では加熱され、冷房運転では冷却されたのちに内部風路３ａを通り、風向偏向板５が回動し、開口している吹出口３から室内へ吹き出される。
【００３７】
また図３および図４に示すように、風向偏向板５は回動軸モータ１３を回動方向Ｃ１に回動させることで吹出口３の開口面積を変化させるとともに、接続部モータ１４を回動方向Ｃ２に回動させることで前縁部５ａと、後縁部５ｂとのなす角を任意に変化させる。接続部５ｃは風向偏向板５の回動に合わせて接続部ガイド孔５ｅに沿って回動方向Ｃ３に回動すると共に、接続部５ｃが繋がっている接続部モータ１４も一緒に回動する。
【００３８】
前縁部５ａと、後縁部５ｂとのなす角は、風向偏向板５の回動位置、すなわち、吹出口３の開口面積によって変わる。例えば、使用しない吹出口３では前縁部５ａと後縁部５ｂとのなす角が約１８０°とフラットな状態となる。また、使用する吹出口３では前縁部５ａの端部が気流Ｗと対向するよう、内部風路３ａの略上流側を向くように接続部モータ１４を回動させる。
【００３９】
これにより、図４（ａ）に示すように、内部風路３ａからの気流Ｗが前縁部５ａで剥離せずに風向偏向板５の上下面に沿って吹き出すこととなり、冷房運転時に風向偏向板５の下面となる面Ｙに高温多湿の室内空気が流入することを防止することとなる。
【００４０】
以上のように、本実施の形態においては風向偏向板５を前縁部５ａと後縁部５ｂとで構成し、吹出口３の開口面積が広がるにしたがって、風向偏向板５の前縁部５ａが回動軸５ｄの方向に曲がることにより、天井埋め込み形空気調和機１のように吹出口３の上流から略鉛直方向に流れる気流Ｗを、風向偏向板５の前縁部５ａからガイドして吹き出すこととなり、吹出口３の開口面積が小さい、すなわち開く角度が小さい場合でも、風向偏向板５の下面（面Ｙ）から剥離することなく、空気を流すこととなる。
【００４１】
よって、冷房運転時の風向偏向板５の開く角度が小さい場合でも風向偏向板５に沿った空気の流れとなり、冷房運転時の風向偏向板５の下面側の空気の流れの剥離に起因する結露を防止することができる。
【００４２】
（実施の形態２）
図５は本発明の第２の実施の形態における天井埋め込み形空気調和機の吹出口の部分断面斜視図を示すものである。
【００４３】
また、図６は本発明の第２の実施の形態における天井埋め込み形空気調和機のガイド変換部と、ガイド変換部モータの構成図を示すものである。
【００４４】
図７（ａ）は本発明の第２の実施の形態における天井埋め込み形空気調和機のガイド変換部と前縁部ガイド軸の起動時、停止時の動作の説明図を示すものである。図７（ｂ）は本発明の第２の実施の形態における天井埋め込み形空気調和機のガイド変換部と前縁部ガイド軸の運転時の動作の説明図を示すものである。
【００４５】
図８（ａ）は本発明の第２の実施の形態における天井埋め込み形空気調和機の図１のＡ−Ａ’断面における化粧パネルの使用する吹出口近傍の部分断面視図を示すものである。図８（ｂ）は本発明の第２の実施の形態における天井埋め込み形空気調和機の図１のＡ−Ａ’断面における化粧パネルの使用しない吹出口近傍の部分断面視図を示すものである。
【００４６】
なお、実施の形態１と同じ部分または相当する部分には同じ符号を付し、一部の説明を省略する。
【００４７】
図５において天井埋め込み形空気調和機１は、前縁部５ａが伸び縮みする弾性部材（例えば、ゴムやシリコン）で構成されると共に、前縁部５ａの前端側に接続した前縁部ガイ
ド軸５ｆと、第１前縁部ガイド孔５ｇと、第２前縁部ガイド孔５ｈと、前縁部ガイド軸５ｆを第１前縁部ガイド孔５ｇとまたは第２前縁部ガイド孔５ｈに導くガイド変換部１５と、ガイド変換部モータ１６とを備える。前縁部５ａと後縁部５ｂとは隙間ないように接続部５ｃで接続されている。第１前縁部ガイド孔５ｇは、回動軸５ｄを中心とする円の円弧で表される曲線形状の孔である。また、第２前縁部ガイド孔５ｈは、同様に円の円弧で表される曲線形状の孔であるが、円の中心は回動軸５ｄより上方に位置する。第２前縁部ガイド孔５ｈは、円弧の略中間位置で第１前縁部ガイド孔５ｇの先端と接続している。
【００４８】
回動軸モータ１３が回動軸５ｄをＣ１方向へ回動させることによって、前縁部５ａと後縁部５ｂとは一体となって回動する。これに伴い、前縁部５ａの前縁部ガイド軸５ｆが第１前縁部ガイド孔５ｇや第２前縁部ガイド孔５ｈに沿って回動することが可能となる。また図６に示すように、ガイド変換部１５にはガイド溝１５ａが形成され、ガイド変換部モータ１６に接続されている。
【００４９】
以上のように構成された天井埋め込み形空気調和機について、以下その動作、作用を説明する。
【００５０】
まず図７（ａ）に示すように、天井埋め込み形空気調和機の起動時および停止時には、ガイド溝１５ａが第１前縁部ガイド孔５ｇに連続し、かつ、第２前縁部ガイド孔５ｈを塞ぐように、ガイド変換部モータ１６がガイド変換部１５を動作する。このとき、回動軸モータ１３が回動することによって、前縁部ガイド軸５ｆが第１前縁部ガイド孔５ｇを回動方向Ｃ５に沿って回動し、ガイド溝１５ａまで達する。第２前縁部ガイド孔５ｈはガイド溝１５ａによって塞がれているので、前縁部ガイド軸５ｆは第２前縁部ガイド孔５ｈに沿って回動しない。
【００５１】
また図７（ｂ）に示すように、天井埋め込み形空気調和機の運転時には、ガイド溝１５ａが第２前縁部ガイド孔５ｈに連続し、かつ、第１前縁部ガイド孔５ｇを塞ぐように、ガイド変換部モータ１６がガイド変換部１５を動作する。このとき、回動軸モータ１３が回動することによって、前縁部ガイド軸５ｆが第２前縁部ガイド孔５ｈを回動方向Ｃ３に沿って回動する。第１前縁部ガイド孔５ｇはガイド溝１５ａによって塞がれているので、前縁部ガイド軸５ｆは第１前縁部ガイド孔５ｇに沿って回動しない。
【００５２】
これにより、図７および図８に示すように、回動軸モータ１３を回動方向Ｃ１に回動させることで、風向偏向板５は吹出口３の開口面積を変化させる。また、前縁部ガイド軸５ｆが第１ガイド孔５ｇを通る場合は、前縁部５ａが略平坦形状を維持する。
【００５３】
また、前縁部ガイド軸５ｆが第２ガイド孔５ｈを通るように動作した場合は、風向偏向板５の回動位置、すなわち、吹出口３の開口面積によって前縁部５ａが変形する。特に、吹出口３の開口面積が小さい場合ほど、前縁部５ａが曲形状に変形する。
【００５４】
従って、風向偏向板５の開く角度が小さく、風速が小さいために前縁部５ａでの気流Ｗの剥離が起こりやすくなる場合でも、内部風路３ａからの気流Ｗが前縁部５ａで剥離せずに風向偏向板５の上下面に沿って吹き出すこととなる。
【００５５】
以上のように、本実施の形態においては前縁部５ａを伸び縮みする弾性部材で構成することにより、天井埋め込み形空気調和機１が特に、吹き出す気流の風速が小さく、吹出口３の開口面積が小さい、すなわち開く角度が小さい場合でも、風向偏向板５の下面（面Ｙ）から剥離することなく、空気を流すこととなる。
【００５６】
よって、冷房運転時の風向偏向板５の開く角度が小さく、風速が小さい場合でも風向偏
向板５に沿った空気の流れとなり、冷房運転時の風向偏向板５の下面側（面Ｙ）の空気の流れの剥離に起因する結露を防止することができる。
【００５７】
なお、本実施の形態では、第１前縁部ガイド孔５ｇと第２前縁部ガイド孔５ｈの孔の形状を略円弧としたが必ずしもこの形状に限定されない。第１前縁部ガイド孔５ｇの孔の形状は、少なくとも風向偏向板５が回動しても前縁部５ａの略平坦形状が維持されるものであればよい。また、第２前縁部ガイド孔５ｈの孔の形状は、吹出口３の開口面積が小さいほど、換言すると風向偏向板５の回動量が小さいほど、前縁部５ａの曲形状が大きくなるものであればよい。例えば、第２前縁部ガイド孔５ｈの孔の形状は、第２前縁部ガイド孔５ｈの孔と接続部５ｃとの距離が図８ｂの紙面上方に向かうほど大きくなる関係となっていてもよい。
【００５８】
（実施の形態３）
図９は本発明の第３の実施の形態における天井埋め込み形空気調和機の吹出口の部分断面斜視図を示すものである。
【００５９】
また、図１０は本発明の第３の実施の形態における天井埋め込み形空気調和機の風向偏向板の構成図を示すものである。
【００６０】
図１１（ａ）は本発明の第２の実施の形態における天井埋め込み形空気調和機の図１のＡ−Ａ’断面における化粧パネルの冷房運転時に使用する吹出口近傍の部分断面視図を示すものである。図１１（ｂ）は本発明の第２の実施の形態における天井埋め込み形空気調和機の図１のＡ−Ａ’断面における化粧パネルの暖房運転時に使用する吹出口近傍の部分断面視図を示すものである。図１１（ｃ）は本発明の第２の実施の形態における天井埋め込み形空気調和機の図１のＡ−Ａ’断面における化粧パネルの停止時で使用しない吹出口近傍の部分断面視図を示すものである。
【００６１】
なお、実施の形態１および実施の形態２と同じ部分または相当する部分には同じ符号を付し、一部の説明を省略する。
【００６２】
図９および図１０において天井埋め込み形空気調和機１は、風向偏向板５の任意断面で見た場合の前縁部５ａは、温度により伸び縮みする弾性部材５ｉ（例えば、ポリオレフィン）と、温度に依存しない伸び縮みする弾性部材５ｊ（例えば、ゴムやシリコン）とが長手方向で略同一長さで構成されている。
【００６３】
温度により伸び縮みする弾性部材５ｉは所定温度以下（たとえば、１０℃以下の温度）で所定の形状に固まる。所定の形状は、例えば湾曲した曲形状である。また、温度により伸び縮みする弾性部材５ｉは、所定温度より大きい温度（例えば、１０℃より大きい温度）で変形可能となる。換言すると温度に依存しない伸び縮みする弾性部材５ｊの形状に依存した形状となるように変形可能となる。具体的には、温度により伸び縮みする弾性部材５ｉは略平坦な形状に変形可能となる。
【００６４】
以上のように構成された天井埋め込み形空気調和機について、以下その動作、作用を説明する。
【００６５】
まず図１１（ａ）に示すように、天井埋め込み形空気調和機の冷房運転時は、冷やされた気流Ｗが内部風路３ａ上流から風向偏向板５に向かって流れ、前縁部５ａの温度により伸び縮みする弾性部材５ｉが冷やされて回動軸５ｄ方向に湾曲した曲形状となる。
【００６６】
その際、温度に依存しない伸び縮みする弾性部材５ｊは温度により伸び縮みする弾性部
材５ｉの形状に伸びて変形する。
【００６７】
また、図１１（ｂ）および（ｃ）に示すように、天井埋め込み形空気調和機の暖房運転時や停止時には、温度により伸び縮みする弾性部材５ｉは、温度に依存しない伸び縮みする弾性部材５ｊの形状となるように変形して略平坦形状となる。
【００６８】
従って、冷房運転時の風向偏向板５の開く角度が小さく、風速が小さいために前縁部５ａでの気流Ｗの剥離が起こりやすくなる場合でも、内部風路３ａからの気流Ｗが前縁部５ａで剥離せずに風向偏向板５の上下面に沿って吹き出すこととなり、冷房運転時に風向偏向板５の下面となる面Ｙに高温多湿の室内空気が流入することを防止することとなるとともに、温度によって駆動する為、動力を必要としないこととなる。
【００６９】
以上のように、本実施の形態においては前縁部５ａを伸び縮みする弾性部材で構成することにより、天井埋め込み形空気調和機１が特に、吹き出す気流の風速が小さく、吹出口３の開口面積が小さい、すなわち開く角度が小さい場合でも、風向偏向板５の下面（面Ｙ）から剥離することなく、空気を流すこととなる。
【００７０】
よって、冷房運転時の風向偏向板５の開く角度が小さく、風速が小さい場合でも風向偏向板５に沿った空気の流れとなり、冷房運転時の風向偏向板５の下面側の空気の流れの剥離に起因する結露を防止することができる。
【００７１】
また、温度によって駆動する為、動力を必要とせず、省エネ性を向上することができる。
【００７２】
さらに、前縁部５ａの材質構成を変えるのみなので、複雑な機構を必要とせず、簡素な構成で所望の効果を得ることができ、信頼性を向上することができるとともに、低コスト化することができる。
【産業上の利用可能性】
【００７３】
以上のように、本発明にかかる天井埋め込み形空気調和機は、冷房運転の場合に、内部風路の上流からの気流が風向偏向板の前縁部で剥離することに起因する、風向偏向板の下面の結露を防止するもので、空気調和機、空気清浄機、乾燥機、カーエアコン等の用途に適用できる。
【符号の説明】
【００７４】
２      筐体
３      吹出口
４      吸込口
５      風向偏向板
５ａ    前縁部
５ｂ    後縁部
５ｃ    接続部
５ｄ    回動軸
５ｉ    温度により伸び縮みする弾性部材
５ｊ    温度に依存しない伸び縮みする弾性部材
６      化粧パネル
【図１】
2019184142.tif 000003
【図２】
2019184142.tif 000004
【図３】
2019184142.tif 000005
【図４】
2019184142.tif 000006
【図５】
2019184142.tif 000007
【図６】
2019184142.tif 000008
【図７】
2019184142.tif 000009
【図８】
2019184142.tif 000010
【図９】
2019184142.tif 000011
【図１０】
2019184142.tif 000012
【図１１】
2019184142.tif 000013
【図１２】
2019184142.tif 000014
【図１３】
2019184142.tif 000015
【図１４】
2019184142.tif 000016